(57)【特許請求の範囲】
【請求項１】
複数のツールヘッドと共に使用する共用ハンドルであって、
前記共用ハンドルは、
第１の端部及び第２の端部を有する長尺ハンドルと、
前記長尺ハンドルの前記第１の端部における据付部材と、
前記長尺ハンドルの前記第２の端部、またはその近くに配置されたロックシステムと、を備え、
前記ロックシステムは、
ａ．前記ツールヘッドの少なくとも第１の部分と係合するキー付きロックカラーと、
ｂ．ツールヘッドの第２の部分と係合する、前記長尺ハンドル上に回転自在に配置されたロックキャップと、を備え、
前記ロックキャップは、前記キー付きロックカラーの一部を少なくとも部分的に囲み、
前記キー付きロックカラーは、１つ以上の溝を備え、前記ロックキャップは、前記ロックキャップが前記キー付きロックカラーに対して回転することを可能にする、前記溝と整列された突起を備える、共用ハンドル。
【請求項２】
前記ロックキャップは、前記ツールヘッドの第２の部分に取り付けるための内部係合部材を備える、請求項１に記載の共用ハンドル。
【請求項３】
前記ロックキャップの前記内部係合部材は、雌ネジを備える、請求項２に記載の共用ハンドル。
【請求項４】
前記キー付きロックカラーは、前記ツールヘッドの第１の部分と整列する少なくとも１つの戻り止めを備え、前記戻り止めは、前記長尺ハンドルを前記ツールヘッドに対して向きを決めるために使用される、請求項１または２に記載の共用ハンドル。
【請求項５】
前記キー付きロックカラーは、前記第２の端部、またはその近くの位置において前記長尺ハンドルに固定されている、請求項４に記載の共用ハンドル。
【請求項６】
前記ロックキャップは、前記キー付きロックカラーの周囲で他方に取り付けられる第１の部分及び第２の部分を備える、請求項１に記載の共用ハンドル。
【請求項７】
前記長尺ハンドルは、オーバーモールドされる、請求項１〜６のいずれか１項に記載の共用ハンドル。
【請求項８】
ハンドルと共に使用するツールであって、
前記ツールは：
本体を備えるヘッド部材であって、前記ヘッド部材を前記ハンドルに接続する第１の接続点及び第２の接続点を含み、
ツールヘッド挿入具またはツールヘッド取付具を受容可能な内側区分をさらに備える、ヘッド部材と；
複数の係合部材のうちの１つを前記ヘッド部材に選択的に取り付けるために前記ヘッド部材に作動自在に接続された、係合部材取付具と、を備えるツール。
【請求項９】
前記第１の接続点は、床手入れ係合部材取付具、またはその近くに配置され、前記第２の接続点は、前記ヘッド部材の先端から延びる、請求項８に記載のツール。
【請求項１０】
前記第１の接続点は、雌ネジを備え、前記第２の接続点は、雄ネジを備える、請求項８又は９に記載のツール。
【請求項１１】
前記ヘッド部材の前記内側区分は、実質的に中空である、請求項８〜１０のいずれか一項に記載のツール。
【請求項１２】
前記内側区分において、追加の部材を前記ツールに作動自在に接続する締付部材をさらに備える、請求項８〜１１のいずれか一項に記載のツール。
【請求項１３】
前記第２の接続点は、前記ハンドルの戻り止めと係合する、一つ以上の突起を有する孔を備え、前記戻り止めは、前記ハンドルの前記ツールに対する向きを決めるために使用される、請求項８〜１２のいずれか一項に記載のツール。
【請求項１４】
清掃に使用するツールアセンブリであって、
前記アセンブリは：
第１の端部及び第２の端部を有する長尺ハンドル、ならびに前記長尺ハンドルの前記第２の端部またはその近くに配置されたロックシステムを備える共用ハンドルであって、前記ロックシステムは、ツールの少なくとも第１の部分と係合するキー付きロックカラー、及び前記ツールの第２の部分と係合するために前記長尺ハンドル上に回転自在に配置されたロックキャップを備える、共用ハンドルと；
前記共用ハンドルに作動自在に取り付けられた前記ツールと、を備え、前記ツールが、本体を備えるヘッド部材であって、前記ヘッド部材を前記共用ハンドルに接続する第１の接続点及び第２の接続点を含む、ヘッド部材と、複数の係合部材のうちの１つを前記ヘッド部材に選択的に取り付けるために前記ヘッド部材に作動自在に接続された少なくとも１つの係合部材取付具と、を備える、アセンブリ。
【請求項１５】
前記共用ハンドルの少なくとも一部は、前記ツールの前記第２の接続点を通って配置され、前記ツールの前記第１の接続点に作動自在に配置されている、請求項１４に記載のアセンブリ。
【請求項１６】
前記ツール本体の実質的な中空部分に配置されたツール挿入具をさらに備える、請求項１４に記載のアセンブリ。
【請求項１７】
前記ツール挿入具は、
ａ．容器、
ｂ．加重部材、
ｃ．照明、または
ｄ．バッテリーを備える、請求項１６に記載のアセンブリ。
【請求項１８】
デッキブラシ形状において前記ツール本体に作動自在に取り付けられた毛材をさらに備える、請求項１７に記載のアセンブリ。
【請求項１９】
ハンドルに接続してツールアセンブリを形成するツールであって、
前記ツールは：
底部、及び前記底部より高い位置で合流する、上方向に延びる側壁を有する本体を備えるツールヘッドであって、
前記ハンドルの一部を受容するために直立後部壁と共に前記底部に配置された第１の接続点、及び前記ツールヘッドを前記ハンドルに脱着自在に取り付けるために前記高い位置にある第２の接続点を含み、
かつツール挿入具を受容可能な内部の実質的な中空部分を有する、ツールヘッドと；
前記ツールヘッドの前記底部の一部から外側に延びる、毛材と、を備える、ツール。
【請求項２０】
前記ツールヘッドの前記実質的な中空部分内に配置されたツールヘッド挿入具をさらに備える、請求項１９に記載のツール。
【請求項２１】
前記ツールヘッド挿入具は、
ｅ．容器、
ｆ．加重部材、
ｇ．照明、または
ｈ．バッテリーを備える、請求項２０に記載のツール。
【請求項２２】
前記毛材は、デッキブラシを構成する、請求項１９に記載のツール。
【請求項２３】
前記デッキブラシは、前記毛材の中央またはその近くにおいてより高い剛性を備える毛材の区分を備える、請求項２２に記載のツール。
【請求項２４】
ハンドルに接続してツールアセンブリを形成するツールであって、
前記ツールは：
底部、及び前記底部より高い位置で合流する、上方向に延びる側壁を有する本体を備えるツールヘッドであって、
前記ハンドルの一部を受容するために前記底部にある第１の接続点、及び前記ツールヘッドを前記ハンドルに脱着自在に取り付けるための前記高い位置にある第２の接続点を含む、ツールヘッドと；
前記ツールヘッドの前記底部の一部から外側に延びる、毛材と、を備える、ツール。
【請求項２５】
前記毛材は、傾斜ブラシ形式の毛材アセンブリを構成する、請求項２４に記載のツール。
【請求項２６】
ハンドルに接続してツールアセンブリを形成するツールであって、
前記ツールは：
底部、及び前記底部より高い位置において合流する、上方向に延びる側壁を有する本体を備えるツールヘッドであって、
前記ハンドルの一部を受容するために直立後部壁と共に前記底部に配置された第１の接続点、及び前記ツールヘッドを前記ハンドルに脱着自在に取り付けるために前記高い位置にある第２の接続点を含むツールヘッドと；
前記底部にあり、前記ツールから延びる毛材を含む、毛材アセンブリと；
前記第１の接続点に配置され、前記毛材アセンブリを前記ツールヘッドに固定するために前記ツールヘッドの前記後部壁に作動自在に接続された、固定部材と、を備える、ツール。
【請求項２７】
前記毛材アセンブリは、スキージアセンブリを備える、請求項２６に記載のツール。
【請求項２８】
前記スキージアセンブリは、スキージ、及び前記スキージ上のオーバーモールドされた筐体を備える、請求項２７に記載のツール。
【請求項２９】
前記固定部材は、
ａ．前記ツールヘッドにヒンジ式に接続された締付具、
ｂ．スナップ、
ｃ．前記ツールヘッドに接続する１つ以上のロックピン、
ｄ．前記毛材アセンブリを前記ツールヘッドに接続するネジ、または
ｅ．上のいくつかの組み合わせを含む、請求項２８に記載のツール。
【請求項３０】
前記スキージは、ゴム材料を含む、請求項２８に記載のツール。
【請求項３１】
前記スキージは、吸収材料を含む、請求項３０に記載のツール。
【請求項３２】
前記スキージは、前記ツールヘッドに対し１０５〜１６５度の角度を有している、請求項３１に記載のツール。
【請求項３３】
前記スキージは、前記ツールヘッドに対し１２０〜１５０度の角度を有している、請求項３２に記載のツール。
【請求項３４】
前記毛材アセンブリは、モップを構成する、請求項２６に記載のツール。
【請求項３５】
前記ツールヘッドに作動自在に接続され、前記ツールヘッドから延びる箒アセンブリをさらに備える、請求項３４に記載のツール。
【請求項３６】
前記箒アセンブリは、前記アセンブリから延びる箒毛材を備える、請求項３５に記載のツール。
【請求項３７】
前記箒アセンブリは、前記ツールヘッドの前記第１の接続点を少なくとも部分的に囲む接続部分を含む、請求項３６に記載のツール。
【請求項３８】
ハンドルに接続してツールアセンブリを形成するツールであって、
前記ツールは：
底部、及び前記底部より高い位置で合流する、上方向に延びる側壁を有する本体を備えるツールヘッドであって、
前記底部が、前記上方向に延びる側壁の外側に延びる略矩形形状を含み、
前記ハンドルの一部を受容するために前記底部にある第１の接続点、及び前記ツールヘッドを前記ハンドルに脱着可能に取り付けるために前記高い位置にある第２の接続点を含む、ツールヘッドと；
前記ツールヘッドの前記底部の一部から外側に延びる、毛材と、を備える、ツール。
【請求項３９】
前記底部は、実質的に平坦な裏側区分を備える、請求項３８に記載のツール。
【請求項４０】
前記毛材は、前記ツールヘッドの前記実質的に平坦な裏側区分から延びる一式の押し箒毛材を含む、請求項３９に記載のツール。
【発明の詳細な説明】
【技術分野】
【０００１】
関連出願の相互参照
本出願は、その全体が参照によって本明細書に組み込まれる、２０１５年１月１６日に出願された米国特許出願第６２／１０４，１７３号の優先権を主張する。
【０００２】
本発明は、一般に、床手入れ及び清掃の分野に関する。より詳細には、排他的にではないが、本発明は、床清掃に使用する床手入れツールに関する。
【背景技術】
【０００３】
床手入れツール、例えば、モップ、箒、及び床清掃に使用される他のツールは、種々の家庭及び商業的状況において使用される。ツールは、ゴミを掃くために使用される箒から、モップ、及び消毒、殺菌またはさもなければ床の、より念入りな清掃を提供するために、化学薬液等の洗剤と共に使用される他のツールに及び得る。
【０００４】
床を清掃する種々の方法のため、多くの異なる床手入れツールが必要とされ得る。これらは、高コスト化を招き得る。さらに、ツールと共に使用される清掃ヘッドを含むツールは、それらが頻繁に使用されるので、しばしば交換が必要となり得る。必要なツールの数は、業界の清潔度要件に合致すべく、床を完全に清掃するための十分なツールがあることを確実にするために、保管、及び大量の目録の必要性を伴う、追加の問題を生じ得る。ツールを液体製品と共に使用するときに、さらに追加の問題が生じる。例えば、いくつかのツールは、床に撒かれツールによって広げられる液体洗剤を必要とする。ツールによる使用前の液体の塗布は、害を生じ得る。製品の塗布が完了すると、完全に異なる床手入れツールが、必要とされ得る。これは、次のツールを配置し、最初のものを保管し、それから清掃を行う、時間を消耗するプロセスを含み得る。
【０００５】
これらの同一の問題は、塗装または他の塗布ツール、庭用ツール、プール用ツール、及び手持ちで使用される一般的な任意の他の形式のツールを含み、これらに限定されない、他の手持ちツールでも生じる。ツールは、各々の仕事にちょうど良いツールを揃えると高価であり、一方でまた場所を取り、所望の耐久性を有していないことが明らかである。
【０００６】
さらに、この分野において、より耐久性の有る、少ない部品を含み、液体製品に伴う面倒を低減し、保管され、在庫が確保される必要のある小部品の数を低減するために、モジュール及び共用部品を含み得る改善されたツールに対するニーズがある。
【発明の概要】
【発明が解決しようとする課題】
【０００７】
したがって、本発明の主目的、特徴、及び／または利点は、この分野における問題を解決することである。
【０００８】
本発明の別の目的、特徴、及び／または利点は、異なるツール部材を取り付け可能な共用ツールハンドルを提供することである。
【０００９】
本発明のさらに別の目的、特徴、及び／または利点は、床手入れ作業等の複数の作業を実施するために、種々の挿入具と共に使用可能な、床ツールヘッド等のツールヘッドを提供することである。
【００１０】
本発明のまた別の目的、特徴、及び／または利点は、より耐久性の有るツールを提供することである。
【００１１】
本発明のこれらのならびに／または他の目的、特徴、及び利点は、当業者にとって明らかであろう。本発明は、これらの目的、特徴、及び利点に、またはそれによって限定されるものではない。単一実施形態が、各々及び全ての目的、特徴、または利点を提供する必要はない。
【課題を解決するための手段】
【００１２】
本発明の一態様によると、交換式ツールヘッドと共に使用する共用ハンドルが提供される。適切なツールヘッドの例は、限定されるものではないが、床手入れツール、塗装ツール、清掃ツール、材料の移動ツール、庭用ツール、造園用ツール、掻き取りツール、及び共用ハンドルに作動自在に接続可能な類似のものを含む。一実施形態において、共用ハンドルは、例えば、モップまたは箒をそれに取り付けることによるように、床の清掃及び手入れを行うために１つまたは種々の床手入れツールを取り付け可能である。
【００１３】
共用ハンドルは、第１の端部及び第２の端部を有する長尺なオーバーモールドされたハンドル、ハンドルの第１の端部にある据付部材、及びハンドルの第２の端部、またはその近くに配置されたロックシステムを含む。ロックシステムは、ツールヘッドの少なくとも第１の部分と係合するキー付きロックカラー、及びツールヘッドの第２の部分と係合するためにハンドル上に回転自在に配置されたロックキャップを含む。ハンドルはまた、保管用の部屋の数を低減すべく、ツールが整理されるように、ハンドル及びツールの保管を補助するために、レール上に据え付けられたパック部材を含み得る吊下げシステムと共に使用可能である。
【００１４】
本発明の別の態様によると、ハンドルと共に使用されるツールが提供される。ツールは、ヘッド部材であって、本体を備え、ヘッド部材をハンドルに接続するための第１の接続点及び第２の接続点を含むヘッド部材を含む。いくつかの実施形態において、ヘッド部材は、ツールヘッド挿入具またはツールヘッド取付具を受容可能な内側区分と、複数の係合部材のうちの１つをヘッド部材に選択的に取り付けるためにヘッド部材に作動自在に接続された係合部材取付具と、をさらに備える。ツールは、ツールによる表面の清掃を補助すべく、洗剤の放出を可能にするように付加される部材のように、追加の特徴を提供するための追加の部材をまた含み得る。
【００１５】
本発明の更なる追加の態様によると、ツールアセンブリが提供される。一実施形態において、ツールアセンブリは、床の清掃に使用する床手入れツールアセンブリである。アセンブリは、第１の端部及び第２の端部を有する長尺なオーバーモールドされたハンドルと、ハンドルの第２の端部、またはその近くに配置されたロックシステムと、を備える共用ハンドルを含み、ロックシステムは、ツールの少なくとも第１の部分と係合するキー付きロックカラー、及びツールの第２の部分と係合するためにハンドル上に回転自在に配置されたロックキャップを備え、ツールが共用ハンドルに作動自在に取り付けられる。実施形態において、ツールは、ヘッド部材であって、本体を備え、ヘッド部材を共用ハンドルに接続する第１の接続点及び第２の接続点を含むヘッド部材を備える。ツールは、複数の係合部材のうちの１つをヘッド部材に選択的に取り付けるためにヘッド部材に作動自在に接続された係合部材取付具をさらに含み得る。
【００１６】
アセンブリの追加の態様は、共用ハンドルの第１の端部、またはその近くに配置され、倉庫用の据付パック内に据え付けられるように構成された据付部材を含み得る。
【図面の簡単な説明】
【００１７】
【図１】共用ハンドル及び床手入れツールヘッドを含むツールアセンブリの斜視図である。
【図２】ツールヘッドに取り付ける共用ハンドルの斜視図である。
【図３】共用ハンドルの正面図である。
【図４】共用ハンドル上に配置されたロックカラーの図である。
【図５】共用ハンドルと共に使用されるロックキャップの断面図である。
【図６】共用ハンドルと共に使用される据付部材の図である。
【図７】本発明の態様による、共用ハンドルと共に使用する床手入れツールの斜視図である。
【図８】図７の床手入れツールの平面図である。
【図９】共用ハンドルに取り付けられた図７の床手入れツールの断面図である。
【図１０】据付及び／または保管システムに据え付けられた別のツールアセンブリの斜視図である。
【図１１】ツールヘッドと共に使用するツールヘッド挿入具またはツールヘッド取付具の斜視図である。
【図１２】部品が除去された図１１のツールヘッド挿入具の図である。
【図１３】図１１のツール挿入具の正面図である。
【図１４】図１１のツール挿入具の側面立面図である。
【図１５】図１１のツール挿入具の分解図である。
【図１６】別のツールアセンブリの斜視図である。
【図１７】本発明の態様による、共用ハンドルと共に使用するツールヘッドの斜視図である。
【図１８】別のツールアセンブリの斜視図である。
【図１９】本発明の態様による、共用ハンドルと共に使用するツールヘッドアセンブリの斜視図である。
【図２０】図１９のツールヘッドアセンブリの側面立面図である。
【図２１】図１９のツールヘッドアセンブリの分解図である。
【図２２】図１９のツールヘッドアセンブリの一部の分解図である。
【図２３】別のツールアセンブリの斜視図である。
【図２４】本発明の態様による、共用ハンドルと共に使用するツールヘッドアセンブリの斜視図である。
【図２５】図２４のツールヘッドアセンブリの側面立面図である。
【図２６】図２４のツールヘッドアセンブリの底面図である。
【図２７】図２４のツールヘッドアセンブリの分解図である。
【図２８】別のツールアセンブリの斜視図である。
【図２９】本発明の共用ハンドルと共に使用するツールヘッドの斜視図である。
【図３０】図２９のツールヘッドの正面立面図である。
【図３１】ツールが取り付けられたツールアセンブリを据え付ける据付パック及びレールの斜視図である。
【図３２】ツールアセンブリを据え付ける据付パック及びレールの斜視図である。
【図３３】単一パック部材の斜視図である。
【図３４】パック部材の正面立面図である。
【図３５】パック部材の側面立面図である。
【図３６】別のツールヘッドアセンブリの正面立面図である。
【図３７Ａ】図３６のアセンブリの側面立面図である。
【図３７Ｂ】図３７Ａのアセンブリの一部の拡大図である。
【図３８】ツールヘッドの分解図である。
【図３９】ツールヘッドへの毛材の取付具の従来技術の図である。
【図４０】本発明の態様による、毛材取付具の図である。
【図４１】共有ハンドル及びそれに取り付けられたツールヘッドを含むツールアセンブリの斜視図である。
【図４２】本発明の態様による、ツールヘッドアセンブリの斜視図である。
【図４３】図４２のツールヘッドアセンブリの分解図である。
【図４４】本発明の態様による、別のツールヘッドアセンブリの斜視図である。
【図４５】図４４のツールヘッドアセンブリの側面立面図である。
【図４６】本発明の態様による、別のツールヘッドアセンブリの斜視図である。
【図４７】図４６のツールヘッドアセンブリの側面立面図である。
【図４８】本発明の態様による、別のツールヘッドアセンブリの斜視図である。
【図４９】図４８のツールヘッドアセンブリの側面立面図である。
【００１８】
本発明の種々の実施形態が、図面を参照して詳細に説明されることになり、同様の参照符号は、異なる図を通して同様の部品を表す。種々の実施形態の参照は、本発明の範囲を限定するものではない。本明細書に示された図は、本発明による種々の実施形態に対する限定ではなく、本発明の代表的な例示のために提示される。
【発明を実施するための形態】
【００１９】
本発明は、既に流通しているものよりも優れた耐久性及び広い使用範囲を提供する、種々の清掃及び／または手入れツールに関する。本発明のいくつかの態様によると、ツールは、交換式挿入設計を含む、向上した耐久性を提供する。さらに、床手入れツールを含む種々の形式のツールが、使用可能であり、本発明の一部として含まれることが認められることになる。例えば、本発明の基本概念及び態様は、押し箒、スキージ、傾斜箒、デッキブラシ、モップ、組み合わせ等を含む床手入れツールと共に使用可能である。特定の毛材及び形式のブラシが、本発明の図の全てに含まれない場合があるが、本発明は、異なる形式の床手入れツールが、ツールの使用意向の変化を考慮して互いに交換可能なように、モジュール及び／または一般的な共用形式の床手入れハンドルならびにツールヘッドを提供することが認められるべきである。したがって、認められるように、本発明は、少なくともいくつかの態様による、製品のさらなる使用を提供し、一方で異なるツールを保管するために必要なスペースが減少するように、挿入具が床手入れツールヘッドの外で交換可能な、一般的な共用形式の床手入れツールを提供する。
【００２０】
さらに、本開示は、本開示の種々のハンドルが、全般において、ツール及び／またはツールヘッドと交換可能であることを意図することが認められるべきである。理解されるように、本開示のハンドルに取り付けられたツールは、床手入れのみに使用される必要はない。多くの用途及びツールが、本開示の一部であるとみなされ得る。このような他の用途は、限定されるものではないが、清掃、塗装、掻き取り、塗布プロセス、除去プロセス、材料の移動（例えば、シャベル）、庭用ツール、造園用ツール等を含み、これらは、ハンドルに取り付けられたツールヘッドに関連する、選択された用途の補助を行うために、本開示の種々のハンドルに作動自在に接続可能である。理解されるように、本開示のハンドルは、ツールがハンドルと共に信頼をもって使用可能になるように、ほぼ共用であり、改善された接続システムを提供するであろう。
【００２１】
したがって、図１は、本開示の態様による、ツールアセンブリ１０の図である。図１に図示されるアセンブリ１０は、代表的な目的が床手入れツールである、ツール４０に接続されたハンドル１２を含む。ハンドル１２は、種々の寸法、形状、形式等のツールがハンドル１２に選択的に取り付け可能な一般的な共用形式ハンドルとして知られ得る。例えば、ハンドル１２は、一定の長さであるように全図において図示されるが、ハンドル／ツールの組み合わせによってなされる用途において補助可能な、てこ、トルク、または他の動きの異なる量を可能にするために、より短い長さが利用され、種々のツールヘッドに接続可能であることが考えられる。理解されるように、ハンドル１２は、本明細書に図示され説明されるように、ハンドルが優れた耐久性を提供し、ツールとの使用をサポートするために、従来形式のハンドル及びツールアセンブリに対する改善を提供する。
【００２２】
ハンドル１２は、図２〜５において、種々の段階で図示される。ハンドル１２は、第１の端部１６及び第２の端部１８を有する長尺円筒シャフト部材を含む。長尺部分は、グリップ１４となり得る外側部分が、剛体円筒部材等の一片の剛体材料上にオーバーモールドされるように、オーバーモールドされた一体形プラスチックシリンダであり得る。オーバーモールドプロセスは、金属、プラスチック、複合材料、またはそれらのいくつかの組み合わせ等の剛体円筒部材上のオーバーモールドプラスチックの使用を含み得る。グリップ部分１４は、プラスチック、ゴム、または他の材料であってもよく、グリップの補助のために、ハンドル１２に含まれ得る。さらに、オーバーモールド部分は、基本的にハンドル１２の任意の長さに延び得る。またさらに、部分１４は、オーバーモールドされる必要はなく、その代わりに、ハンドル１２に取り付けられ、または固定され得る（恒久的または一時的に）。取り付けの形式の例としては、限定されるものではないが、リベット、摩擦嵌め、ネジ、接着剤、ピン、合わせ釘、スナップ、キースロット、アイボルト等とすることができる。ハンドル１２に対して部分１４を決まった位置に保持可能な基本的に任意の方法は、本発明の一部であると考えられる。
【００２３】
オーバーモールドプロセスはまた、ハンドル１２の略第１の端部１６に配置される、据付部材２０のオーバーモールド区分を含む。図６により詳細に図示される、据付部材２０は、これに取り付けられた略球形、すなわちボール形状部材３６、及び延出円筒部材３７を含む。球形部分３６は、貫通する孔３８、及び切り取られている球の部分を含む。据付部材２０は、把持する、及び／または保管する機能を提供する部材のような形状を含む。例えば、理解され、図３１〜３５に図示されるように、据付部材２０は、パック部材等の据付アセンブリと合致する形状とすることができる。据付部材２０及びパック部材１９０は、球形（例えば、ボール及びソケット構成）を有するように図示されるが、任意の形状、寸法、及び／または構成の据付部材、ならびに対応するパックを利用可能であることが認められるべきである。例えば、据付部材は、正方形、三角形、矩形、楕円形、四辺形、円形、対称形若しくは非対称形、または機器の使用を補助し得る、基本的に任意の他の幾何形状を含み得る。パック部材１９０は、形を有する据付部材２０を受容するために、対応形状部分を有し得る。ハンドル１２の据付部材２０と、パック１９０の一部との間の寸法における、このような共通または類似の形状は、ハンドル、つまりツールアセンブリ１０が、パックに固定されることを可能にし、このためツールアセンブリ１０がそこに保管可能である。
【００２４】
ハンドル１２の略第２の端部１８、またはその近くに配置されるものは、ハンドル１２を本発明に含まれる及び／または参照されるツールの１つに少なくとも一時的に固定するためのロックシステム２２である。ロックシステム２２は、キー付きロックカラー２４及びロックキャップ３０を含む。キー付きロックカラー２４は、ハンドル１２の長尺部分を少なくとも部分的に囲んで配置される。図４に図示されるように、キー付きロックカラー２４は、その上に配置された戻り止め２６を有する部分を含む。戻り止めは、ロックカラー２４の略円筒部分の凹部であり、ハンドル１２とツールの１つとの間の整列を補助することになる。例えば、キー付きカラー２４の戻り止め２６は、ハンドルを、ツールの一部を介して一定または既定の向きのみに挿入可能になるように、ツールのキー付き孔と合致することになる。これは、ツールに対するハンドルの整列を補助することになり、ツールとハンドルとの間において一定の角度が好ましいときに有用であり得る。例えば、床手入れ用のいくつかのツールは、ハンドルが、ツールに対して所定または既定の角度にあるときに、最適に使用され得る。これは、ツールのより人間工学的な使用を可能にすることになり、同様に他の利益を提供することになる。したがって、ハンドル１２が決められた角度に配置されることを確実にすべく、戻り止めは、戻り止めがツールの対応する孔と整列されるときのみに、ハンドル１２をツールに取り付け可能なように、キー付きロックカラー２４上に配置され得る。これは、ツールの好ましい整列及び使用を提供または確実にすることになる。
【００２５】
さらに、１つの戻り止めのみが、キー付きロックカラー２４との使用に対し図４に図示されるが、追加の戻り止めが、ロックカラー２４上で径方向に離間して配置されてもよいことが認められるべきである。追加の戻り止めは、ハンドル及びツールの組み合わせの異なる事前設定角度バリエーションを提供するように、ツールのキー付き孔と整列することができる。したがって、キー付きロックカラー上で径方向に離間して配置された追加の戻り止めを含むことは、ハンドル１２とツールヘッドとの間の角度の変更を利用者に調節可能にすることになる。この変更は、ハンドルが、不便な、またはさもなければツールアセンブリに対し使用に好ましい中間の角度にない場合において、迅速かつ使用中の変更がもたらされ、異なるツール、異なる利用者の能力、異なる利用者の体形、異なる使用方法等に対し有用であり得る。
【００２６】
キー付きロックカラー２４の追加の態様は、周囲に配置された溝２８を含む。溝は、理解されるように、ロックカラー自体が移動する必要なく、ロックキャップ３０がロックカラー２４に対して回転することを可能にするために、重なるロックキャップ３０と対応するように構成される。図４に図示されるように、ロックカラー２４は、ピン、ネジ、または他の部材をロックカラー２４とハンドル１２の長尺シャフトとの両方の一部に通して挿入することによるように、ハンドル１２の長尺部分に固定され得る。この部材は、ロックカラーがハンドル１２に対して回転しない（または少しの回転を有する）ことを提供することができる。これはまた、前述されたように、戻り止めが、ハンドルをツールに対して整列するための好ましい位置にあることを提供するために戻り止め部材を補助することになる。したがって、キー付きロックカラー２４は、ハンドル１２の長尺シャフトの一部を少なくとも部分的に囲み、ピン、ネジ、または他のロック部材を介してその位置に固定される。
【００２７】
ロックキャップ３０は、その後、ハンドル１２の長尺シャフトと、ロックカラー２４の少なくとも一部との両方を少なくとも部分的に囲むように配置される。ロックキャップ３０は、ハンドル１２のシャフトと、ロックカラー２４の一部との両方の一部を囲むために、共に連結される第１の部分３１及び第２の部分３２を含み得る。ロックキャップ３０の第２の部分３２の内部が、図５に図示される。第１の部分及び第２の部分は、互いに略鏡像である。したがって、図５に図示される第２の部分３２は、接続点においてハンドルをツールに接続しロックするために、ツール接続点のネジ付き部分と相互接続されることになる、突起３４を含む。ロック部材３０の内部の追加の突起が、ツールに対するロック部材の過度な締め付けを防止することになる。さらに、孔３５は、ハンドル１２及びキー付きカラー２４に対してロック部材３０の回転をさらに可能とするために、ハンドル１２の長尺シャフトの一部を受容するように構成され得る。例えば、図５に図示されるネジ付き突起３４は、図４に図示されるキー付きカラー２４の溝２８内、または少なくとも部分的に内側に存在するように構成される。溝はまた、ロックカラー２４及び／またはハンドル１２に対してロックキャップ３０の長手方向の移動を防止することを補助することになる。したがって、ロックキャップ３０は、その基本位置周りに回転のみが可能であり、基本的には軸方向または長手方向に移動することができないことになる。理解されるように、これは、ハンドル１２と、それに取り付けられる床手入れツールとの間のより耐久性の有る接続を提供することを補助することになる。
【００２８】
したがって、ツールアセンブリ１０のハンドル１２が、既知のものよりも耐久性が有り、そこに多くの利益及び／または利点を提供することが認められる。ハンドル１２の長尺シャフトのオーバーモールドされた区分は、ハンドル１２のより優れた強度及び耐久性を含む、より優れた剛性を提供することになる。ハンドル１２の略端部に配置された据付部材２０は、これらの従来の使用よりも少ない部屋を要しつつ、不使用時にハンドル及び／若しくはアセンブリを据え付け、ならびに／または保管するためにまた使用可能な、グリップ部分を提供することになる。さらに、ハンドル１２シャフトの一部に位置するロックシステム２２は、ハンドルとツールとの間に複数接続点を提供することになり、結果としてアセンブリが、これらの既知のものよりも優れた耐久性を有することになる。さらに、ロックシステム２２は、優れた耐久性のために、２つの接触点、及びハンドル１２とツールとの間の取り付けを提供する。ロックキャップ３０及びカラー２４のロック及びキー付き態様は、ツールとハンドル１２との間の回転を防止またはさもなければ軽減することになる。キー付き態様はまた、曲がったハンドル形状が所望される場合において、向きの整列を向上させる。さらに、これは、間違った、または不必要なハンドルが、一定のツールヘッドと利用されないように、特定のハンドルとツールヘッドとの間の排他性を提供するように、特定のハンドルとツールヘッドとを合致するために使用され得る。追加の利点は、当業者にとって明らかであり、本発明の一部として含まれることになる。
【００２９】
図１及び７〜９は、本開示による、床手入れツールアセンブリ１０の態様を図示する。理解されるように、本開示は、限定するものではないが、床手入れツール等の異なるツール形式の態様及び／または実施形態の多数の例を提供する。
【００３０】
図１においてハンドル１２に取り付けられたものは、デッキブラシツールとして知られる、床手入れツール４０である。床手入れツール４０は、本体４４を有するツールヘッド４２を含む。ツールヘッド４２の本体４４は、略Ａ字フレーム形状に形成される。Ａ字フレーム形状は、底部から延び、略第２の接続点４８に集まるアーチ壁を含む。底部上または底部に位置するものは、第１の接続点４６である。ツールヘッド４２は、既に図示され説明されたように、ハンドル１２の一部と合致するように、２つの接続点４６、４８を含む。例えば、ハンドル１２の第２の端部１８は、第２の接続点４８のキー付き孔を通って第１の接続点４６の孔に延設されることになる。図に図示されるように、第１の接続点４６は、受容孔を含み、ノッチ、ネジ、スプライン、あるいは他のリッジまたは部材であり得る、突起４７を含み得る。例えば、ハンドル１２の第２の端部１８が、第１の接続点４６の雌ネジと螺合可能な雄ネジを含むことが考えられる。したがって、一旦、ハンドルが接続点４６に挿入されると、ハンドル１２は、その後、その接続点４６においてツール４０に対する第１の取付手段を提供するように回転され得る。さらに、インターロック部材が、含まれてもよく、ツール４０に対して回転するハンドル１２の性能を軽減することになる。ただし、第１の接続点４６がまた、あらゆるロックまたは接続特徴物を有さずに、ハンドルの一部を受容するために、実質的に中空であり得ることも認められるべきである。スプラインは、しかしながら、ツールに対する所望の長さを確保するために、ハンドルの端部を接続点の底から離間するために使用され得る。これは、図８に図示され、径方向に離間されたスプラインが、スプラインの長さによって確定された距離、ハンドルの端部を第１の接続点の底から離間するために、ツールヘッド４２に含まれる。
【００３１】
さらに、ツール４０は、第２の接続点４８を含む。第２の接続点４８は、ツール４０の略上端部に位置する。第２の接続点４８は、ネジまたは他の係合部材であり得る、外側接続部材４９を含む。第２の接続点４８は、ハンドル１２のロックキャップ３０と係合可能である。したがって、一旦、ハンドルが、第２の接続点を通って挿入されると、第１の接続点４６に接続される。ロックキャップ３０は、ロッキングキャップ３０の雌ネジを雄ネジまたは第２の接続点４８のロック部材４９に螺合するために、ハンドルに対して回転され得る。ハンドル１２と床手入れツール４０との間に２つの個々の接続点を提供することは、ツールアセンブリ１０の優れた安定性及び耐久性を提供する。従来の床手入れツールの場合のような、ハンドルの一端を第１の接続点４６に回転することによるように、単一の接続のみが形成されるときに生じ得る、床手入れツール４０に対するハンドルの不要な回転を防止することをまた補助することになる。さらに、ネジが、接続点４６、４８におけるハンドルと床手入れツール４０との間の接続として開示されたが、他の形式の接続を含むことが可能であり、本発明が、具体的に開示されたものに限定されるものではないことが認められるべきである。例えば、ハンドルが、接続点を通って中に挿入され、ピンが、床手入れツールとハンドルの一部との両方の孔を介して挿入され得る。ピンは、床手入れツールに対するハンドルの回転を防止するために、第１の接続点及び第２の接続点の両方、または第１の接続点若しくは第２の接続点のうちの一方において、床手入れツール４０に対するハンドルを決まった位置にロックすることができる。さらに、ピン及びネジ付き部分の組み合わせが、ハンドル１２と床手入れツール４０との間の接続点の一方または両方において利用可能である。
【００３２】
さらに、図８に図示されるように、第２の接続点４８は、孔内に径方向に配置された１つ以上の突起５５を含む、非均一なキー付き孔であり得る孔５４を含む。１つ以上の突起５５は、ハンドル１２上に配置されたキー付きロックカラー２４の１つ以上の戻り止めと整列するように設計される。したがって、ハンドルは、戻り止め及び床手入れツールの第２の接続点４８の突起を介して、床手入れツール４０に対するハンドルの所定の整列及び／または向きを提供するように構成され得る。さらに、戻り止め及び孔５４の突起５５は、床手入れツール４０に対するハンドル１２の角度を変更可能とするように、構成され得る。例えば、ハンドルの周囲の戻り止め及び／または突起の数の変更は、ツールアセンブリ１０の使用に対するより大きな可変性を提供可能である、床手入れツールヘッドに対するハンドルの角度が変更可能であるように、ハンドルを変更することを可能にする。キー付きロックカラー２４はまた、床手入れツール４０に対するハンドルの回転及び／または向きの追加のバリエーションを提供するために、ギア及びノッチの使用によるように、選択的に回転可能である。例えば、キーは、整列／向きにおけるバリエーションが利用可能であるように構成され得る。キー及びハンドルは、ツールヘッドに対するハンドルの角度を変更可能な、追加の事前設定整列を可能とするように設計され得る。事前設定は、５〜１０度の間隔のように小さくてもよく、３０、４５、または９０度の位置でもよく、回転角度が、ハンドルとツールヘッドとの間の個々の向きをもたらす。
【００３３】
したがって、ハンドル１２のキー付きロックカラー２４及びロックキャップ３０の使用を含む第１の接続点及び第２の接続点４６、４８は、ハンドル１２と、それに取り付けられる床手入れツール４０との間のより耐久性を有する接続を提供することになる。キー付きカラーの好ましい整列は、ハンドルの所定の向き及び／または整列を提供するために好都合であり得る。カラーはまた、好ましい寸法のハンドルが、特定の床手入れツールヘッドと利用されることを確実にするために使用され得る。例えば、異なる寸法のハンドルは、優れた剛性及び／または耐久性を提供するように、一定の床手入れツールヘッドと共により良好に使用され得る。正しいハンドルがヘッドと共に使用されることを確実にするために、第２の接続点４８における床手入れツールのキー付きロックカラー及び／または孔は、正しい、または所望のハンドルが特定の床手入れツールと共に使用されることを確実にするために異なる寸法であり得る。ただし、代替的に、単一ハンドル１２は、ハンドル１２が、図示され説明される、任意の及び／または全ての床手入れツールと共に使用可能であるように、本発明の態様により共用であることが考えられる。
【００３４】
図示されるように、図７〜９の床手入れツール４０は、デッキブラシツールヘッドであるように図示される。デッキブラシは、形成され、単なるデッキブラシではなく、種々の異なる毛材を利用可能である。例えば、ツールヘッド本体４４は、係合部材５３（毛材）に取り付けるための係合部材取付具５２を含むことが考えられる。係合部材取付具５２は、スロット付き係合部材５３を受容するためのスロット部分を含み得る。係合部材５３は、したがって、ツールヘッド４２の係合部材取付具５２とスライドして係合及び係合解除され得る。例えば、係合部材５３は、異なる形式の毛材、ブラシ、または他の床手入れツール部材であることが可能である。係合部材はまた、類似の床手入れツール毛材のバリエーションを含み得る。例えば、全ての種類の床手入れツール毛材または毛材ヘッドが、Ａ字フレーム形ツールヘッド本体４４にスライドして着脱可能であることが考えられる。ただし、いくつかの実施形態において、異なるツールヘッド本体が、モップヘッドフレーム及びモップヘッド係合部材のように、特定のツールヘッド係合部材用に特定の設計がなされることになる。いずれにしても、係合部材が、限定されるものではないが、スロット、ネジ、接着剤、機械的締結、スナップ、摩擦、ピン等を含む、多くの方法によってツール本体４４に取り付け可能であることが認められることになる。
【００３５】
他の実施形態は、毛材が、ツールヘッドにより恒久的に取り付けられ、スロット付き部材を介して取り付けられないように、ツールヘッドが、専用であることを意図する。例えば、多くの床手入れツールは、ツールヘッドの一部である底部から延びる毛材を有するツールヘッドを含む。毛材は、図において符号５３で示される部分のような、底部の孔を通って延び得る。毛材は、ツールヘッドの内部に束ねられ、そこから外側に延び得る。
【００３６】
共通ツールヘッド本体４４が利用される場合、係合部材取付具５２は、略任意の形式の係合部材及び／または毛材を受容するように構成され得る。例えば、いくつかの実施形態において、標準的なデッキブラシ毛材は、デッキブラシ毛材が取り付けられた床手入れツール４０を形成するために、係合部材筐体５３にスライドして取り付けられてもよい。ただし、いくつかの領域において、グラウトラインのように、領域の良好な清掃を提供するために、異なる材料及び／または寸法の毛材の数個の列を含むデッキブラシを有することが所望され得る。例えば、０．８ｍｍ径の毛材がグラウト区分用に使用され、一方で０．６ｍｍ径の毛材がブラシヘッドの残部に使用される、使い方が考えられる。大きい方のグラウト毛材は、グラウトラインを清掃するために使用可能であり、一方でデッキブラシの残部は、標準用として使用される。グラウドラインを含まない領域が、床手入れツール４０によって清掃される場合、毛材は、係合部材５３を介してスライドして脱着可能であり、標準セットのデッキブラシ毛材が、標準の、または好ましい方法によって清掃を行うために、スライドして取り付けられる。これはしかし、床手入れツールアセンブリ１０が、単一ツールヘッド４２を含むモジュールである、方法の一例である。ただし、理解されるように、ツールヘッド本体及び／またはツールヘッドに対するバリエーションが、含まれてもよく、異なる床手入れツールアセンブリを形成するために、異なる形式の床手入れツールと利用されてもよい。
【００３７】
図３６〜３８は、毛材２４０をツールヘッド２２６に取り付け可能な方法の１つを含む、床手入れツール２２５を図示する。図に図示されるように、ツールヘッド２２６は、ツールヘッド４２に類似する。ただし、ツールヘッド２２６は、毛材２４０をヘッドに取り付けることを補助するための締付部材２４２を含む。図３６は、傾斜箒形式ツールであるツール２２５を図示する。これは、ハンドル１２及びその部品を含む。ツールヘッド２２６はまた、ハンドル１２をツールヘッド２２６に取り付けるための接続点２２８、２３０を含む。これらはまた、上述されたように、キー付き接続を含み得る。ただし、図は、より詳細において、またそこに取り付けられた毛材２４０を含み、係合部材取付具２３４及び係合部材２３６を図示する。
【００３８】
図３７Ａ及び３７Ｂに図示されるように、ツールヘッド２２６は、係合部材取付具２３４として知られ得る、ノッチ付き部分を含む。これは、毛材、モップ、または他の清掃部材を含む係合部材２３６をツールによる清掃を実施するために取り付け可能な、本発明の種々のツールヘッドに毛材を取り付け可能な１つの方法として説明された。図において、毛材２４０は、傾斜箒の形式で図示される。毛材２４０は、例えば、孔を通って延び、毛材を係合部材２３６に束ねるような、当分野において既知の任意の方法によって係合部材２３６に取り付け可能である。毛材を取り付ける１つの標準的な方法が、図３９に図示され、毛材２４７、２４８が、ツールヘッド２４６の切欠き２４５に取り付けられる。毛材２４９は、矢印２４９の方向に移動すると、ツールヘッド２４６に対する切欠き２４５の直角によって、カールすることになり得る。したがって、本発明は、図４０に図示されるような切欠き２５０を有することを意図する。毛材２５５、２５６が通って延びる係合部材の孔２５０は、孔が底において天井面よりも大きな半径範囲を有するように、図４０の符号２５２によって図示されるように、面取りされ、またはさもなければ、座ぐりされ得ることが考えられる。この面取り、または半径範囲は、矢印２５４の方向に毛材２５６を過度に曲げたときに、応力の一部を解放することになり、ここで示した鋭い角に比べて簡単にねじれることがなくなるであろう。毛材のしわ、または、ねじれの軽減は、毛材の寿命、つまり、ツール自体の寿命を延ばすことになる。係合部材２３６は、ツールヘッド本体２２７の係合部材取付部分２３４のノッチ付き部分にスライドして取り付け可能である。これは、図３８に最良に図示され、ここで係合部材３２６は、部分的にノッチに挿入される。ツールヘッド２２６上の締付具２４２は、バネ２４４を含む。締付具２４２は、係合部材２３６の挿入を可能とするように係合され、また部材２３６が、決まった位置になると、締付具２４２は、ツールヘッド２２６に対する係合部材２３６を決まった位置に保持することを補助するように解除され得る。他の部材、例えば、ラッチ、ピン等がまた、係合部材を決まった位置に保持することを補助するために使用可能である。
【００３９】
毛材が通って延びる穴の座ぐり／面取りが、係合部材がツールヘッドのノッチを通ってスライドする場合のみならず、任意の形式の毛材、及び任意のツールと共に使用可能であることが認められるべきである。例えば、実施形態において、図１〜９に図示されるように、ツールヘッドが、底部の外に延びる毛材を有する単一部品であり、毛材が通って延びる孔がまた、半径範囲が毛材のねじれを軽減するように、面取り及び／または座ぐりされ得る。
【００４０】
図１０は、本発明の追加の態様による、床手入れツールアセンブリ１０の斜視図である。図１０に図示される床手入れツールアセンブリ１０は、既に図示され説明されたように、ハンドル１２を含む。図１０に図示される追加の態様は、図３１及び３２においてより詳細に図示される据付アセンブリ１８０に接続される、及び／または据え付けられるツールアセンブリ１０を含む。据付アセンブリ１８０は、壁または他の表面に、例えば、ネジ、接着剤等を介して取り付け可能な経路付きレール１８２を含む。レール１８２は、恒久的または一時的に壁または他の構造物に取り付け可能である。パック部材１９０は、レール１８２に取り付け可能である。レール１８２は、レール１８２の上部及び下部から上方向及び下方向に延びる経路を含む。パック１９０は、パック１９０をレール１８２の一部に対してスライドするために、その裏側にノッチを含む。パック１９０上に見出されるノッチの数によって、図１０に図示されるようにパックがレール１８２の下に延びる、パックがレール１８２上の中間の位置に配置される、またはパックがレールシステムの略上に配置されなどの異なる方法によって配置されることが可能になることに留意されたい。さらに、パック１９０は、例えば、ボール及びソケット方法によってハンドル１２の据付部材２０の一部を受容するための受容ポケットを含む。図１０に図示されるように、据付部材は、ツールアセンブリ１０を据え付け及び保管のための決まった位置に保持するために、パック１９０の受容部分に嵌まることができる。据付部材２０は、パック１９０の下部において保管されるように図示されるが、据付部材は、パック部材１９０の高さに亘って略任意の位置をスナップするように構成可能であり、また、例えば、パック１９０の上部、下部、及び中央部において事前設定された受容部分を含み得ることがまた認められる。さらに、パック１９０及び据付部材２０は、受容及び保管を行うために略球形部材であるように図示されるが、ハンドル１２とパック１９０との間の略任意の対応する形状が、利用可能であり、保管、据え付け、及び他の目的のための本発明の一部としてみなされることが認められる。
【００４１】
さらに、異なる床手入れツール６０が、図１０のツールアセンブリ１０を形成するためにハンドル１２に取り付けられるように図示される。床手入れツール６０は、ツールヘッド本体６４を有するツールヘッド６２を含む。ツールヘッド本体は、既に図示されたものに類似する、略Ａ字フレーム形状である。したがって、同一ツールヘッド本体を図１０に図示される構成に対し利用可能である。さらに、第１の接続点６６及び第２の接続点６８等の類似の接続点が、ツールヘッド６２に対するハンドルの回転を軽減すべく、第１の点及び第２の点においてハンドル１２に取り付けるために、ツールヘッド６２に含まれる。接続点は、ハンドル１２のキー付ロックカラー２４と対応するように、雌ネジ６７、雄ネジ６９、及び第２の接続点６８のキー付き孔と同様のものになる。
【００４２】
Ａ字フレーム形状の原形により、ツールヘッド６２の底部及びアーチ壁を含み、ツールヘッド６２が、略中空内部区分７０を含むことになる。これはまた、既に図示され説明された、ツールヘッド４２においても見出すことができる。図１０に図示され、ツールヘッド本体６４のこの内部区分７０内に挿入されたものは、床手入れ挿入具及び／または取付具７２である。挿入具または取付具７２は、ツールヘッド本体６４の内部区分内に固定するように設計される複数の取付具のうちの１つであり、これは、容易に、そこに対し、及びそこにおいて挿入され固定され得る。例えば、図１０〜１５において、挿入具７２は、デッキブラシ杓子と共に使用するためのモップバケツ様式挿入具として図示される。ただし、他の挿入具、例えば、加重挿入具等が提供可能である。例えば、加重挿入具は、より簡単かつより効率的な洗浄のためにブラシに追加の重量を提供するように、デッキブラシツールヘッドフレームと共に使用可能である。これは、利用者に必要な力の量を低減することになり、床手入れツールの作業を補助することになる。
【００４３】
述べられたように、図１０〜１５に図示される挿入具７２は、デッキブラシ毛材または他のモップ毛材と共に使用するための杓子形式の挿入具を含む。杓子部材７２は、液体洗剤等の液体をモップバケツまたは他の容器から掬い、液体製品を清掃される床または他の表面に散布する手段を提供する。いくつかの洗剤は、洗浄前に床に塗布しなければならないので、挿入具７２は、塗布の制御された状態を提供する。例えば、洗剤を塗布する従来の方法は、単に洗剤を床に投入及び／または流し、その後、ブラシ掛けまたはモップ掛けを行い、床を清掃することを含む。杓子挿入具７２は、床がブラシによって清掃されるときに液体製品の塗布を制御し、一定時間中に洗剤が塗布される面積を制限する方法を提供する。杓子挿入具７２は、洗剤または他の液体（例えば、水）を収容するバケツまたは他の容器と共に使用されるように設計され、杓子は、一定の洗剤量を一時的に収容するために、容器内に挿入されたときに一定の洗剤量を受容することができる。洗剤が、その後、杓子挿入具７２から床の表面上に漏出またはさもなければ放出を許容されると、利用者は、モップ掛け、洗浄、またはさもなければ洗剤の塗布を行うことができる。
【００４４】
杓子７２は、本体部分７３及びカバー７５を含む。本体部分７３は、一定の洗剤量を受容し収容するための容器７４を形成する略中空部材である。カバー部分７５は、容器７４に対するカバーを提供し、洗剤の充填及び放出を提供するために、本体部分７３の開口部分と整列するように構成される。例えば、図に図示されるように、カバー７５は、上側主孔７６、及び複数の放出孔７７を含む。放出孔は、本体の１つの底部または杓子挿入具７２のカバー部分を通る孔を作成することによって形成される。例えば、カバーの一部は、本体部分７３と連結されるときに孔が２つの間の継ぎ目に存在するように、切り取られてもよい。容器に収容される液体は、これらの孔を通って清掃される床上に到達する。
【００４５】
カバー７５の前部における追加の円は、装飾的であってもよく、機能的であってもよい。例えば、円は、単にカバーの窪みであってもよい。いくつかの実施形態において、円は、追加の液体がこれを通って床に到達する、カバーを通る孔であってもよい。
【００４６】
カバー７５及び本体７３が、互いに取り付けられると、床手入れツール６０は、洗剤を含有するバケツ内に挿入可能になる。洗剤は、主孔７６を介して本体７３の容器７４に注入可能になる。洗剤は、その後、容器７４に収容されることになる。バケツから除去されると、洗剤が、漏出またはさもなければ挿入具及びツール手入れヘッドの底に沿って放出孔７７を介して挿入具７２から分注され始めることになる。これらは、所望の洗剤量が床手入れツール６０による清掃プロセス中に挿入具から分注されるように、寸法及び位置が設定され得る。一旦、挿入具７２内の洗剤が、完全に分注されると、プロセスは、床手入れツールによって繰り返し可能であり、挿入具が、追加の液体量を受容するためにバケツに挿入される。
【００４７】
述べられたように、挿入具は、既に図示され説明されたＡ字フレーム形状ツールヘッドのような、ツールヘッドと共に使用可能である。同様に、ツールヘッドは、スライド式係合部材取付具であり得る区分を含むことになり、係合部材５３が、毛材または他の清掃面を付加するように床手入れツール６０に本体６４に挿入及び接続可能である。孔７７を介して分注された洗剤は、その後、清掃ツールを提供するためにフレーム本体と係合された毛材または清掃部材と共に機能する。
【００４８】
さらに、開示されたように、挿入具７２は、Ａ字フレーム形状ツール本体６４と共に使用可能である。したがって、挿入具本体７３は、ハンドル１２の少なくとも一部及び床手入れツール６０の第１の接続点６６を囲む形状のハンドル係合接続７８を含む。挿入具は、スナップフィット、摩擦嵌め、その他、ツールヘッド本体６４の内側空間７０内に挿入具を保持するように床手入れツールヘッド６２と係合可能である。さらに、挿入具７２の寸法及び形状は、ツールヘッド６２及び本体６４の寸法及び形状の変更に合わせて変更可能である。
【００４９】
述べられたように、杓子部材以外の追加の挿入具が、ツールフレームと共に含まれていてもよく、技術は、本発明の一部として含まれることになる。例えば、加重挿入具を装着可能であり、固体または他の加重部材が、ツールヘッド本体の内部に配置される。さらに、色分け部材が、本発明のハンドルと共に使用するための種々のツールヘッド及び／または毛材を区別するために含まれていてもよい。
【００５０】
さらに、他の挿入具、例えば、色付き、または使用表示挿入具が、本発明と共に利用可能である。ツールが、商用環境において使用可能なので、商用環境のある領域において一定のツールのみの使用が所望されることがある。例えば、レストランにおいて、便所で使用された清掃ツールは、その後、厨房で使用されることは所望されないであろう。さらに、厨房の異なる場所は、異なる細菌を含むことがあり、環境面の相互汚染の可能性を軽減することが所望されるであろう。したがって、色付き挿入具は、特定の床手入れツールに対し所望の使用場所を示すことを可能とされたツールヘッド本体６４の内部７０に含まれ得る。例えば、ある色は、床手入れツールアセンブリ１０が、厨房環境においてのみ利用されることを示し、一方で異なる色は、ツールが、食事用の領域等のレストランの食事を行う部分においてのみ使用されることを示してもよい。これは、２つの個々の環境間の相互汚染の機会を軽減することを補助することになる。使用を示す異なる挿入具または異なる形式の挿入具が考えられる。例えば、本発明のいくつかの態様によると、Ａ字フレームの内側でハンドル１２の長尺シャフトの一部によって固定された板材が、利用可能であり、プレートの色が、特定の床手入れツールアセンブリの使用目的及び／または使用場所を表示する。追加の形式の挿入具は、Ａ字フレームの内側にフレームを含み、使用場所を示すために、ハンドル１２の一部または複数の部分を受容するための孔を含んでいてもよい。さらに、絵またはアイコンが、使用場所、使用形式等を識別するためにフレームに含まれてもよい。さらに、Ａ字フレームの保護具が、含まれていてもよく、保護具は、接続点、またはその近くにおいてハンドルの一部によって支持される。保護具は、使用目的、使用場所、またはそのいくつかの組み合わせに対する絵を含んでもよく、絵は、その特定の色に加えて保護具上に含まれる。またさらに、色付きスリーブが、スライド、スナップ、またはさもなければツールの使用目的を明示するようにハンドルを少なくとも部分的に囲むことなどによって、ハンドルの一部に配置されてもよい。例えば、色付きスリーブは、２つの接続点間におけるハンドルの長さと略同一またはそれよりも小さい寸法であってもよい。スリーブは、ハンドル部分を囲むために開くことのできる、共形接続シリンダであってもよい。したがって、色付きスリーブは、特定の使用に対するツールの明示にあたり迅速に取り付け可能であり、必要であれば交換可能である。
【００５１】
挿入具及び／または取付具はまた、非清掃用またはその他であってもよい。これは、床をワックス掛けするための液体ワックス、ローラー用の塗料等を含み得る。このような例において、挿入具は、表面上または周囲に材料を塗布するためにツールと相互作用する表面上に分散される材料の容量を含み得る。例えば、塗料は、挿入具または取付具に含まれ、外に分散され、表面に到達し得る。ローラブラシ等の塗装ブラシは、ハンドルに取り付けられ、ブラシヘッドの定期的な追加の塗料の補充を行うことなく、分散された塗料を表面に塗布するために使用可能である。
【００５２】
また他の形式の挿入具が含まれることが考えられ、追加または個々の形式の洗剤を含み、第１の洗剤が塗布され、その後、第２の洗剤が挿入具から放出されてもよい。さらに、洗剤または液体製品によって清掃された環境を乾燥することを補助するために、ファンが挿入具に含まれてもよい。
【００５３】
図１６は、床手入れツール８０が、既に図示され説明されたように、第１の接続点８６及び第２の接続点８８を介してハンドル１２に取り付けられる、さらに別の床手入れツールアセンブリ１０を図示する。床手入れツール８０は、図１７にさらに詳細に図示される。床手入れツール８０は、本体８４を有するツールヘッド８２を含む。本体８４は、既に図示され説明されたように、Ａ字フレーム形状に略形作られて図示される。ただし、本体８４の底部が、前の図よりもアーチが緩やかになるように、より広いことが認められる。本体８４のより広い幅は、異なる形式の毛材、ブラシ、モップ、若しくは箒がツール８２に含まれ、または共に使用されることを可能にすることができる。床手入れツール８０の類似の態様は、第１の接続点８６及び第２の接続点８８を含む。第２の接続点８８は、ハンドル１２のロックキャップ３０との接続用の雄ネジ８９を含むことになる。第１の接続点８６は、ハンドルとツールヘッド８２との間の追加の接続を提供するために、ネジ等の内側の特徴物を含み得る。さらに、第２の接続点８８は、ツールヘッド８２に対するハンドル１２の整列及び／または向きを補助するために、ハンドル１２のキー付きロックカラー２４の戻り止めと整列する１つ以上の押出部または突起９７を含む、キー付き孔９６を含む。
【００５４】
ツールヘッド本体８４のフレームは、箒の毛材の長さが、一方の側部から他方にかけて短い傾斜箒との使用が理想的であり得る。ただし、フレームは、本発明に図示され説明された任意の他の使用方法と共に使用可能であり、特定形式のブラシ、箒等に限定されるものではない。さらに、ツールヘッド８２の底部は、係合部材９４と共に使用する係合部材取付具９２を含む。述べられたように、係合部材取付具９２は、ツールフレーム８２に取付位置９２で取り付けられる、それ自体から延びる毛材を含み得る係合部材９４を含む、スロット部品または他の接続部品であり得る。例えば、取付具がスロット部材である場合、係合部材は、毛材がツールヘッド８２に取り付けられることになるように、ツールヘッド本体８４のいずれかの側部からスライド可能である。ただし、限定されるものではないが、スナップ、締付具、磁石、ネジ、接着剤、摩擦嵌め等を含む、他の形式の取付手段が、床手入れツールアセンブリ１０の使用を提供すべく、毛材係合部材とツールヘッド本体８４との間の恒久的接続または脱着式接続を可能とするために、本発明の一部として含まれる。
【００５５】
図１８は、床手入れツール１００が、既に図示され説明されたハンドル１２に取り付けられる、さらに別のツールアセンブリ１０を図示する。図１８のハンドル１２に取り付けられた床手入れツール１００は、標準的なＡ字フレーム形状及び構成のものである。ただし、理解されるように、ツール１００は、係合部材１１４を容易に取り付け、及び／または脱着するために、追加の部品を提供する。例えば、スキージ等のいくつかの係合部材は、他の毛材、箒、モップ等よりもより頻繁に交換される必要がある。これは、主に、スキージの使用の性質による。ツールヘッド１０２の迅速な脱着は、新しい部品と交換可能なように、スキージの迅速かつ容易な脱着を提供する。
【００５６】
図１９〜２１に図示されるように、床手入れツール１００は、ツールヘッド本体１０４を備えるツールヘッド１０２を含む。ツールヘッド本体は、上部において延びて合流するアーチ状側部を含む底部材を含む。本体１０４の底部は、第１の接続点１０８を含み、第１の接続点は、ネジ、スナップ、またはハンドル１２の一部に取り付ける他の方法を含む。本体１０４の上部は、ネジ１０９、ならびにハンドルのキー付きロックカラー２４及びロックキャップ３０と係合するためのキー付き受容孔１１６を含む、第２の接続点１０８を含む。したがって、本体１０４は、既に図示され説明されたものと同一の二重接続部品を含む。さらに、本体１０４の内側区分１１０は、そこに接続された締付具１１８を有するリッジを含む。締付具は、スプリング１１９を介して本体１０４に対して可動、つまり回転自在である。スプリング１１９は、締付具の底部がツール本体１０４の一部に対し往復移動されることを可能にする。締付具１１８は、係合部材１１４を係合及び係合解除するために、ツールヘッド１０２の底部において係合部材取付具１１２と共に作動する。例えば、図１９〜２１に図示される、係合部材１１４は、スキージアセンブリ１２０である。
【００５７】
異なるスキージアセンブリが、本発明の床手入れツールアセンブリと共に使用されることが考えられる。例えば、図１８において、スキージアセンブリ１２０は、ゴムスキージ部品がオーバーモールドされる筐体１２４を含む、オーバーモールドされたゴムスキージ部材１２２を備える。スキージアセンブリの該構成及び角形状は、一般的に必要とされる、スキージ部材の標準的な引き込みよりもむしろ、利用者から離れるようにツールを押すことによってスキージが使用されることを可能にする。これは、洗剤または他の液体を、作業者に向かって引き込むことで害を引き起こし得ることに代えて、作業者から離れるように押すことを作業者に可能にする利点がある。
【００５８】
さらに、図１９〜２２において、オーバーモールドされた発泡体またはスポンジ様式スキージアセンブリが提供される。これらの図に図示されたアセンブリ１２０は、ツールヘッド部材に取り付けるために、ゴムまたはプラスチック筐体１２４とオーバーモールドされた、発泡体、モス、スポンジ、または他の比較的吸収性のある素材を含む。
【００５９】
図に図示されたようなスキージアセンブリのいずれかの実施形態において、ハンドル１２に対するスキージ部材の角度は、押し出し／引き込み、素材の種類、高さのバリエーション、及び他の使用目的に関するような、利点を提供するために変更されることが認められるべきである。例えば、図２０に最良に図示されるように、スキージ部材１２２は、水平から下に約６０度、またはツールヘッドの第２の接続点１０８の軸に対して約１５０度の角度が設けられる。ただし、水平より下に１５〜７５度の間、より好ましくは、水平より下に３０〜６０度の間の角度のような、他の角度が考えられ得ることが認められるべきである。ハンドル軸に対するスキージ部材の角度は、ハンドルが角度を有するような使用時に、ツールヘッドのスキージ部分が垂直または垂直に近くなることを可能にする。部材の角度は、利用者の身長が、地面に対するハンドルの角度を決定する要因になるので、利用者の平均身長に基づいて決定され得る。したがって、スキージ部材の角度は、平均身長の利用者が、スキージが最も効果的なハンドルの角度（つまり、スキージ部材と表面との間の最良な角度）になった状態でアセンブリを使用することになるように、決定され得る。
【００６０】
スキージアセンブリ１２０は、図２２において分解された状態で図示される。アセンブリの部品は、平坦で滑らかなゴムブレードまたは表面を有するツールであり得る、スキージ交換品１２２を含む。それは、表面上の液体の流れを除去、及び／または制御するために有益である。スキージ交換品１２２は、スキージ筐体１２４内に収容される。交換品１２２は、図２２に図示されるように、ロックリブ１２６を介して筐体１２４において決まった位置に保持される。スキージアセンブリの正確な構成は、本発明に対し限定されるものではなく、当分野において既知及び使用される略任意のスキージ及び／または交換品が、本発明の一部であると考えられる。
【００６１】
ツール本体１０４の係合部材取付部分１１２は、スキージアセンブリがヘッドのいずれかの側部から挿入可能になる、スロット部分を含み得る。スキージ筐体１２４は、スキージアセンブリ１２０をツール１０２に対し決まった位置にスライドするために、ツールヘッド係合取付部１１２のスロットと共に使用可能である。一旦、配置されると、締付具１１８は、スキージアセンブリを床手入れツール１００のツールヘッド１０２に対し決まった位置に保持することを補助すべく、ツールヘッド本体１０４をスキージアセンブリの決まった位置に締め付けるために、解除され得る。クイックリリース設計は、スキージ及びモップアイテムの容易な脱着及び／または交換を提供する。スキージは、ツールヘッドのいずれかの側部から挿入可能であり、位置に自動でスナップされ得る。スキージアセンブリを解除するために、スキージブレードを解除するように、締付具をツールヘッド１０４から移動する必要がある。したがって、スキージは、容易に交換及び／またはさもなければ操作される方法においてスライド可能であることが考えられる。
【００６２】
図は、スキージアセンブリ１２０をツールヘッド１０２に接続することを補助するための締付部材１１８の使用を図示するが、他の形式の部材が使用可能であることが認められる。例えば、締付部材は、締付力を提供するためにヒンジ式に接続される。他の形式の締付形式部材、例えば、スナップ、バンドクランプ、Ｃクランプ、つまみネジ、マグネットクランプ、止めネジ、クレビスピン、コッターピン、スナップピン、タブロックピン、ボールロックピン等のピン、鍵穴、またはロック機器が、スキージまたは他の取付アセンブリをツールヘッドと決まった位置に保持することを補助するために代替的に含まれてもよい。
【００６３】
さらに、図は、スキージヘッドがクイックリリース方法によって挿入可能に図示しているが、異なる形式の毛材、箒、ブラシ、モップ等を含む、任意の形式のツールヘッドが、クイックリリース及び／または挿入可能部材と共に使用可能であることが考えられ、認められる。例えば、スキージアセンブリは、モップアセンブリと交換可能であり、また締付具が、スキージアセンブリに代えて、モップを決まった位置に保持することになるような方法によって、スキージアセンブリを挿入可能である。モップは、その後、締付具を解除しモップ部材をツールヘッドに対しスライドすることによって交換可能である。他の形式のブラシがまた、この方法によって挿入及び脱着可能である。ただし、スライド部材が、清掃部材を床手入れツールに、一時的または恒久的のいずれかに、固定するための唯一の方法ではないことがまた認められるべきである。例えば、いくつかの床手入れツールは、例えば、ネジ、接着、または毛材を床手入れツールヘッドに取り付ける他のものによって、より恒久的に固定可能である、毛材、ブラシ、モップ等を含み得る。
【００６４】
図２３は、本発明の態様による、さらに別の床手入れツールアセンブリ１０を図示する。図２３に図示されるように、床手入れツール１３０は、本発明のハンドル１２に接続される。図に図示されるツール１３０は、既に図示され説明されたものとの多くの類似点を含む。例えば、ツールは、ツールヘッド本体１３４を含むツールヘッド１３２を含む。ツールヘッド本体１３４は、底部及び上方向アーチ側部を有する略Ａ字フレーム形状部品を含む。第１の接続点１３６は、ハンドル１２の一部に接続するノッチ及び／またはネジ１３７を含む。さらに、第２の接続点１３８は、ハンドルのロックキャップ３０に接続するネジを含む。部材１４７を含むキー付き孔１４６は、ハンドル１２のロックシステム２２と相互に作用するために、ネジ１３９と共に第２の接続点１３８に含まれる。
【００６５】
さらに、ツール本体１３４は、ツールヘッド１３２に取り付けられた締付具１４８及び箒アセンブリ１５６を含む内側区分１４０を含む。図２４〜２６に図示されるように、床手入れツール１３０は、モップアセンブリ１５２と箒アセンブリ１５６との両方を含む。箒アセンブリ１５６は、ツールヘッド１３２の第１の接続点１３６に位置する孔を含み、ハンドル１２の一部が、箒アセンブリ１５６のこの孔を通って延びる。これは、迅速かつ容易な方法によって箒アセンブリ１５６をツールヘッド１３２に取り付けることを補助することになる。箒アセンブリは、箒を形成する複数の毛材を受容するための本体を含む。ただし、モップ、箒、ブラシ、またはそれらのいくつかの組み合わせを含む、他の部材が、同様の方法によって含まれてもよいことが認められるべきである。本発明の略任意の清掃ツール形式が、同様の方法によって取り付けられることが考えられる。
【００６６】
さらに、モップアセンブリ１５２が、クイックリリース方法によってツールヘッド１３２の係合部材取付具１４２に接続されるように図示される。モップアセンブリ１５２は、ツールヘッド１３２のいずれかの側部から部材取付具１４２のスロットにスライドするための係合部材１４４を含む。モップアセンブリ１５２は、その後、スプリング１５０によって付勢される締付具１４８の使用によってツールヘッド１３２に対して決まった位置に保持可能である。締付具は、モップアセンブリ１５２が、例えば、モップヘッドを交換するために、取り外されるときまで、モップアセンブリ１５２を決まった位置に保持することになる。締付具は、モップアセンブリ１５２をツールヘッド１３２の側部の一方からスライド可能にするために、押下げ可能である。ロッド１５４が、モップを部材１４４に固定するために使用される。図示されたモップアセンブリ１５２の使用は、清掃及び／または交換のために、ツールヘッドからのアセンブリの脱着を可能にする。
【００６７】
したがって、図は、複数形式のブラシ、毛材、モップ、スキージ等が単一ツールヘッド１３２に含まれる、さらに別の床手入れツール１３０を図示する。係合部材取付具１４２においてツールを取り付けることに加え、追加の部材が、例えば、箒アセンブリ１５６等のアセンブリの一部を通るハンドル１２の一部の挿入によって、取付可能である。これが、追加のツールをツールヘッドに取り付け可能な唯一の方法である必要はないことがさらに認められるべきである。ただし、追加の箒アセンブリ１５６は、部品を必要に応じて容易かつ迅速に取外し可能な、複数業務用の床手入れツールを提供可能である。
【００６８】
図２８は、本発明の態様による、さらに別の床手入れツールアセンブリを図示する。図２８に図示される床手入れツールアセンブリ１０は、床手入れツール１６０に取り付けられた共用ハンドル１２を含む。図２８〜３０に図示されるように、床手入れツール１６０は、ツールヘッド本体１６４を有するツールヘッド１６２を含む。ツールヘッド本体１６４は再び、形状及び構成において、上方向に延びるアーチの底部を有する略Ａ字フレームである。一方で係合取付具１７２として知られる底部は、既に図示され説明されたものよりも大きい。床手入れツール１６０は、当分野において既知の種類の床箒と同様の使用に対して図示される。したがって、係合部材取付具１７２の下側における追加の表面領域は、箒との使用のために、それに取り付けられる、より多い数の毛材またはブラシを提供することになる。
【００６９】
床手入れツール１６０は、既に図示されたように、第１の取付点１６６及び第２の取付点１６８を含む。第１の取付点１６６は、ハンドル１２の部材に対する受容部分であり、そこにおいてハンドルの一部をツールヘッド本体１６４に少なくとも一時的に固定可能である。これは、ツールヘッド１６２の雌ネジ、及びハンドル１２の雄ネジ付き部分の使用によって行われ得る。第２の接続点１６８は、雄ネジ１６９、及びそこを通るキー付き孔を含み得る。キー付き孔は、その適切な整列及び向きを提供するために、ハンドルのキー付きロック部材と共に使用される。雄ネジ１６９は、ハンドルが、床手入れツールヘッド１６２に対して回転することがより低頻度になるように、第２の接続点を提供するためにハンドル１２のロックキャップ３０に係合可能である。ツール１６２の更なる部品が、内部部分１７０に含まれる。内側部分１７０は、図において、略中空であるように図示されるが、加重部品または挿入具等の部品が、ツールヘッド１６２に追加の重量を提供するために、そこにおいて取り付けられていてもよいことが認められる。
【００７０】
さらに、述べられたように、係合取付部材１７２は、既に開示されたものよりも大きな表面領域を含む。これは、毛材が直接的に取付部分１７２の下側に取り付けられることを提供し、大量の毛材が含まれることになり得る。ただし、個々の係合部材１７４はまた、他の部品と共に、ツールヘッド本体１６４の下側または一部に取り付け可能である。例えば、毛材が、ツールヘッド１６４の底取付部分１７２においてスロットにスライド可能な部材に取り付けられることが考えられる。ただし、限定するものではないが、螺合すること、若しくはさもなければ部材を毛材と固定すること、毛材を接着すること、または他の毛材をツールヘッド１６４の下側に取り付けることを含む、毛材を該下側に取り付ける他の方法が含まれる。本発明は、箒の毛材をツールヘッド１６２に取り付ける特定の手段及び／または方法に限定されるものではない。
【００７１】
ツールヘッド１６４が折り畳み形式であることがまた想到される。例えば、折り畳み式モップヘッドが、既知であり使用されている。したがって、折り畳み様式ツールヘッドを提供することは、未使用時にツールが占めるスペースの量を低減する、追加の利点を提供することになる。
【００７２】
床手入れツールの前述の例は、多数の利点を提供する。例えば、本発明の目的、特徴、及び／または利点は、向上した摩擦係数（ＣＯＦ）読取値を介して確認可能である、清潔で安全な床をもたらすツールを提供することである。
【００７３】
図３１及び３２は、１つ以上の床手入れツールアセンブリ１０、ハンドル１２、またはそれらのいくつかの組み合わせを未使用時に保管するための保管またはラックシステムを開示する。保管システム及び／または据付アセンブリ１８０は、複数または単一ツールを吊るして保管する新規な方法を提供する。据付アセンブリ１８０は、パック１９０が取り付けられたレール１８２を含む。レールは、レール１８２上または周りにパックがスライド可能になるように、パック１９０のノッチと相互に作用可能な経路部分１８４を含む。例えば、パック本体１９１を含むパック１９０は、第１のノッチ１９８、第２のノッチ１９９、第３のノッチ２００、及び第４のノッチ２０１を含み得る。ノッチは、ノッチがノッチにおいてレール上に固定されレールに対してスライド可能なように、レール突起と同様に離間される。さらに、ノッチの間隔は、レールに対して異なる構成においてパックを位置付けることを可能にする。例えば、図３１及び３２は、レール１８２に係合された第１のノッチ１９８及び第２のノッチ１９９を図示するが、ノッチの任意の隣接した組み合わせが、同様の方法によって固定可能であることが認められるべきである。これは、レールシステムに対するパックの３つの異なる構成または高さを許容することになる。認められ得るように、レールに対するパックの異なる高さは、少なくとも未使用床手入れアセンブリ及びツールによって占められる部屋の量が最小化されるように、そこから、及びそこに吊り下がるツールをずらして配置することを可能にし得る。
【００７４】
さらに、パック本体１９１は、受容部分またはポケット１９２を含む。受容部分は、潜在的に第１の部分１９４、第２の部分１９５、及び第３の部分１９６を含む。受容部分は、据付部材をその中に保持し維持するために、図３１に図示されるように、ハンドルの据付部材２０と相互に作用する。したがって、ハンドル１２の一端上のボール形状据付部材２０は、パックホルダー上のポケットの１つに固定及び／またはさもなければスナップする。複数配置ホルダーは、その後、種々のツールのハンドルを配置する種々の位置及び／または高さを提供するために、異なる配置においてレール上をスライド可能である。これは、保管による柔軟性を可能にし、このためツールのヘッドは、互いに干渉せず、同様に互いに相互汚染しない。したがって、図１に図示されたように、据付部材２０は、レール１８２の略下に配置されたパックを有するパック１９０の第３のポケット１９６において図示される。これは、ツールが据付アセンブリ１８０のより低い位置にあることを示すことになる。したがって、レール１８２上でこのパックの隣に類似のパックを配置することは、隣接ハンドル及びパックに取り付けられる床手入れツールの高さをずらすために、より高い位置の１つにおいて据付部材２０を含むハンドルを有するように最良に固定することになる。高さ及び位置をずらすことは、部材に対する最良の固定を提供することになる。レールは、パックを整列するための押し出しアルミニウム据付経路であり得る。
【００７５】
図３３〜３５は、本発明の任意の種々の床手入れツールアセンブリと共に使用するための据付部材のさらに別の態様を図示する。単一パックツール５は、図に図示され、上記においてパック１９０に関して図示されたように、レール１８２に据え付けられる経路であり得る。ただし、単一パック２０５はまた、レールに対する使用を含まずに、特定の表面または位置に接着剤または機械的留め具によって取り付けられるように、単一使用目的に対し単体で据え付けられてもよい。したがって、単一パックにおける孔は、そのために利用されてもよい。ただし、レールを有する経路据付方法において使用される場合、パック本体２０６を有するパック２０５は、レール１８２の押し出された経路と整列可能な第１のノッチ２０８及び第２のノッチ２１０を含むことになる。これは、パックがレール上を所望の特定位置にスライドすることを可能にする。パック本体に形成されたポケット２０７は、床手入れツールアセンブリ１０をパック２０５に一時的に接着する、またはさもなければ据え付けるために、ハンドル１２の据付部材２０の受容を可能にする。
【００７６】
図４１〜４７は、本開示のさらに追加の態様を図示する。既に開示されたツールと同様、図４１〜４７に図示されるハンドル１２及びツールの組み合わせは、ハンドル１２に接続されたツールを含む。ハンドル１２は、既に開示されたものと同様である。図４１においてハンドル１２に取り付けられているものは、ツール２５０である。ツール２５０は、雌ネジ／ガイド／ノッチ２５７を有する第１の接続点２５６、及びネジ２５９を含む第２の接続点２５８を含むロックシステム２２を介してハンドル１２に取り付けられるツールヘッド本体２５２を含む。したがって、ツールは、含まれ及び／または説明されたように、他のツールヘッドと同様の方法によって接続されることになる。さらに、図４１〜４７の、より短いハンドル、またはツールヘッドを有するキャップの利用は、利点を提供可能である。理解されるように、ツールは、掻き取り具または他の類似のツールであり得る。より短いハンドルを有することは、ツールの使用に対する、より良好な操作及び大きな力を提供することになる。
【００７７】
図４１〜４３において最良に図示されるように、ツール２５０は、表面に付着したガムまたは別の物質を除去するような、表面の掻き取りのために使用され得る、掻き取り／ブラシ掛け形式ツールヘッドである。ツール２５０はまた、掻き取り前、掻き取り中、または掻き取り後に表面を洗浄またはブラシ掛けするために使用され得る毛材を含み得る。さらに、理解されるように、複数掻き取り具または複数毛材位置が、ツール２５０のより良い柔軟性及び使用を可能にするために、本体２５２上に据え付け可能である。
【００７８】
ツール２５０は、したがって、ツールヘッド２５２、孔２６５に対し、またはそこに取り付けられた毛材、及び掻き取り具取付具２６７を含む。図４３に最良に見られるように、掻き取り具取付具２６７は、止め具２６２においてツールヘッド本体２５４に取り付け可能である。いくつかの例において、止め具２６２は、本体２５４の前部領域に配置され得る。止め具２６２は、代表的な態様によると、１つ以上のリブ２６３を含み、穴２６４または他の取付機構を含み得る。掻き取り具２６７は、ツールヘッド２５２に取り付けるために、リブ２６３上またはその周りに合致する本体を含み得る。いくつかの態様において、掻き取り具または他の取付部材は、リブ２６３に摩擦嵌めされてもよく、または掻き取り具２６７をツールヘッド２５２に固定する接着剤または面ファスナー区分を含んでもよい。他の態様によると、リブ２６３は、掻き取り具または他の部材２６７を整列するために使用可能であり、部材は、例えば、ネジまたは掻き取り具２６７を通過する他の部材、及び止め具２６２の穴２６４の介在によって、ツールヘッド２５２に固定可能である。
【００７９】
掻き取り具２６７は、本体及びブレード２６８を含む。ブレード２６８は、表面から除去することが難しいものを掻き取るために使用可能なゴム、金属、毛材、または略任意の他の剛体若しくは準剛体部材を含み得る。またさらに、掻き取り具が、ツールヘッド２５２の止め具２６２に取り付け可能な唯一の部材である必要はないことが考えられる。例えば、作業を実施することを補助するためにツールヘッドに固定可能な任意の部材が、そこに取り付け可能であることが考えられる。このような部材／用途は、限定されるものではないが、ピザブラシ、ピザカッター、ノミ、グリル掻き取り具、グラウトブラシ、プール清掃器具、塗布器具、窓清掃器具、ショベル、屋外用ツール（レーキ、切断具等）、高所用ツール等を含み得る。本開示は、取付具の一覧によって限定されることを意図するものではなく、プロセスまたは用途において補助を行うための利用者によって使用可能な略任意の、及び全ての取付具が本開示の一部として想到されることが認められる。
【００８０】
図４１〜４５及び４８〜４９に図示されるようにツール２５０の更なる態様は、毛材孔２６５として図示される毛材取付点を含むツールヘッド本体２５４の一部を含む。異なる毛材形式が、洗浄、ブラシ掛け、清掃等に対する別の位置を提供するために、その位置に含まれ得る。毛材は、掻き取り具２６７または他の取付具を介して掻き取られた領域をブラシ掛けするために、ツールヘッド本体２５４の下側に配置され得る。ただし、毛材／ブラシの形式及び／または様式は、基本的に非限定的であり得ることが認められるべきである。
【００８１】
本開示のさらに追加の態様が、既に説明されたツール２５０を図示する、図４６〜４７に図示される。ただし、ツール２５０は、追加の可変性を含む。既に開示された毛材２６５は、一体のツールヘッド２５２に付加され得る。ただし、図４６〜４７のツールヘッド２５２は、ツールヘッド２５２に対して着脱可能、変更可能、及び／または交換可能なカートリッジ部品２６６を含む。例えば、カートリッジ２６６が、機能を果たすために使用可能な、毛材、ツール等のような、それ自体の用途を含むことが考えられる。各用途に対する特定のヘッドを有することに代えて、カートリッジ２６６は、所望の目的に対しツール２５０を迅速に適合するために、より良好な柔軟性及び可変性を提供可能である。カートリッジ２６６は、ガイド及び／またはノッチ２６９を介してツールヘッド本体２５４に対してスライド可能である。ガイド２６９は、カートリッジ２６６がツールヘッド２５２に対して維持されることを確実にするために、カートリッジが挿入される経路を提供する。またさらに、カートリッジが、ツールヘッド本体２５４よりも幅が広く、図に図示されるような略同一平面ではないことが考えられる。幅が広いカートリッジ２６６は、異なる作業を実施するために、ツールヘッド２５２に付加される、より大きなツールを許容可能である。カートリッジ２６６は、取り付けられたカートリッジを決まった位置に保持することを補助するために、ガイド２６９及び／またはスナップ等の別のロック機構によって、決まった位置に保持され得る。ただし、これは、ツールのさらに良好な使用を提供するために、ツールに対する容易かつ迅速な交換をさらに可能とすることになる。
【００８２】
本開示の追加の態様は、ツールヘッド２５２が、止め具２６２及び／またはカートリッジ２６７の略任意の組み合わせを含むことを意図する。例えば、ツールヘッド２５２が、一方が図４６におけるカートリッジ２６７の位置にある、２つの止め具を含むことが認められるべきである。またさらに、止め具２６２が、いくつかの構成において第２のカートリッジと交換されることが考えられる。なおさらに、止め具またはカートリッジが、ツールヘッドの位置に固定された毛材と共に含まれることが考えられる。これらの構成の追加は、ツールとのより良好な使用を可能にするために、さらに良好な柔軟性をツールヘッドに可能にする。
【００８３】
図４１〜４９に図示されるようにツールヘッド２５２は、類似であるが、いくつかは、その形状に変化を含み得ることに留意されたい。例えば、内部領域２６０は、異なる形状及び／または寸法になってもよい。この設計変更は、構造的利益の違いを提供するが、ツールの本質及び／または範囲を変更するものではない。したがって、ツールが、同様の方法によって機能し得ることが認められる。
【００８４】
したがって、本発明は、環境を清掃すること、または別の作業を完遂することに使用するためのツールのような、ツールに関して図示され説明された。本発明の種々の態様は、当業者にとって明白であり、それに対する任意のバリエーションについても同様であろう。例えば、ツールは、任意の多少の毛材または他の取付具なしで図示されたが、任意の形式の毛材、取付具、または清掃ヘッドが、図示され説明された任意の種々のツールヘッド構成と共に使用可能であることが認められるべきである。さらに、毛材の組み合わせ、例えば、硬さレベル、長さ、または他の毛材の組成が、類似ツールと複数機能を実現するために単一ツールヘッド上で利用可能である。述べられたように、一定位置により長い毛材を有するツールは、グラウトラインまたは地面における他の窪んだ領域に使用可能である。
【００８５】
本開示の態様に対する他の材料は、プラスチック部品用にホモポリマー及びコポリマーポリプロピレン（通常、いくつかのポリエチレンが付加されたポリプロピレン）を含み得る。それらは、剛性を向上する添加剤、例えば、タルク、強化ガラスを有してもよい。そして大きな毛材ブロックは、より軽量な重量を提供する非常に小さな気泡をもたらす発泡剤によって製造される。毛材は、最も一般的なポリプロピレンまたはポリエステルであるが、それらは、ナイロン及び／またはカーバイド添加物（食品サービスにおいて一般的ではない）から製造されてもよい。繊維（ストリングモップ）は、実質的に全て綿、または綿／レーヨン混成物でもよい。金属ハンドルは、粉体塗装被覆された押し出しアルミニウムであるが、粉体塗装被覆された、または塗装された鋼でもよい。
【００８６】
種々のツールはまた、底部から延びるアーチ状側部を有する、略Ａ字フレーム形状によって図示された。これは、ツールヘッドがとり得る潜在的な形状の１つであるが、アーチ、高さ、幅等は、全て変更可能であることが認められるべきである。例えば、アーチ状側壁に代えて、ツールヘッドは、ツールヘッドが三角形を形成するような、略平面壁を有してもよい。アーチはまた、ツールヘッドが、底部と共に略円形である内側区分を有する、より円形状であるように、顕著であってもよい。傾斜、円弧等を含む追加の形状が、ツールに略任意の形状を与えるために、適合可能である。
【００８７】
種々の形式の床係合部材（例えば、ブラシ、モップ、スキージ、毛材、組み合わせ等）を取り付ける方法はまた、限定されない。例えば、本発明の少なくともいくつかの態様において、床係合部材がツールヘッドに、部材がツールヘッドのスロット部分にスライドされる、「スライドイン／スライドアウト」方法によって取り付けられることを含むように考えられる。ただし、部材はまた、他の方法、例えば、接着剤、機械的締結、面ファスナー、スナップ、摩擦嵌め等によって、取り付け可能である。
【００８８】
さらに、複数の戻り止めのうちの１つをツールヘッドのキー付き孔と選択的に整列することによって、２つの間の角度を選択的に変化させ、ツールヘッドに対するハンドルの向き及び／または角度を調節する機能のような、追加のバリエーションが、認められる。ハンドル及びツールヘッドの二重接続を有することは、ハンドルが一旦、二重接続によって接続されると回転しないようになることを提供することになる。さらに、追加の形式の挿入具、及び挿入具を種々のツールヘッドに取り付ける方法が、本発明の一部として、そこからの結果物を変化させることを実現するために含まれ得る。加重物、杓子、締付具、及び他の取付手段が含まれている一方で、限定されるものではないが、ファン、洗浄剤、照明、または他の部材を含む、追加の清掃部品を含む追加の機構が、床手入れツールとの使用に対するより良好な清掃を実現するために、毛材とは別に含まれ、作動されてもよいことが認められ得る。またさらに、ハンドルの据付部材、及び据付アセンブリは、略ボール及びソケット構成であるように図示されたが、それらが、略任意の形状で円形ではなくてもよいことが認められるべきであることが、認められるべきである。据付部材の形状は、ツールの形式、及び／または利用者によって容易に使用することを実現する人間工学的特徴によって、決定可能である。
【００８９】
更なるバリエーションは、薬剤分注器の追加を含む。本発明のいくつかの態様は、薬剤を領域に塗布するシステムを開示するが、ポンプ及び能動的分注器（例えば、電動ポンプ）を利用する追加の、または他の分注器が、薬剤を領域に分注するために含まれてもよい。
【００９０】
また他の利益、利点等が、本発明によって認められる。ただし、本発明は、異なるツールアセンブリを提供するために、種々の、及び／または複数の異なるツール形式と共に使用可能である、略共用及び／またはモジュール形式のオーバーモールドされた一体ハンドルを有する方法を提供することが認められるべきである。ハンドル及びツールヘッドの構造は、現行品よりも長持ちすることになり、その利用者の全体のコストを低減することになる、より耐久性を有する形式のツールアセンブリを提供する。取付具をツールヘッドに対して交換することができることはまた、特定の企業、個人等が必要とする異なるツールの量を低減することを提供し得る。またさらに、ツールに対する使用の形式または使用場所を示す挿入具の使用は、相互汚染量を低減可能であり、これによって、使用産業において使用する、より清潔な環境を提供する。
【００９１】
前述の説明は、例示及び説明の目的で提示され、網羅的なリストを意図するものではなく、本発明を開示された細かい形式に限定することを意図するものではない。当業者にとって明らかな他の代替的なプロセス、システム、及びアセンブリは、本発明の一部にみなされることが考えられる。本発明は、図示され説明されたように、多くの利点を含むことが理解される。
以下の項目［１］〜［４９］に、本発明の実施形態の例を列記する。
［１］
複数のツールヘッドと共に使用する共用ハンドルであって、
前記共用ハンドルは、
第１の端部及び第２の端部を有する長尺ハンドルと、
前記ハンドルの前記第１の端部における据付部材と、
前記ハンドルの前記第２の端部、またはその近くに配置されたロックシステムと、を備え、
前記ロックシステムは、
ａ．前記ツールヘッドの少なくとも第１の部分と係合するキー付きロックカラーと、
ｂ．ツールヘッドの第２の部分と係合する、前記ハンドル上に回転自在に配置されたロックキャップと、を備える、共用ハンドル。
［２］
前記ロックキャップは、前記ツールヘッドの一部に取り付けるための内部係合部材を備える、項目１に記載の共用ハンドル。
［３］
前記ロック部材の前記内部係合は、雌ネジを備える、項目２に記載の共用ハンドル。
［４］
前記キー付きロックカラーは、前記ツールヘッドの第１の部分と整列する少なくとも１つの戻り止めを備え、前記戻り止めは、前記ハンドルを前記ツールヘッドに対して向きを決めるために使用される、項目１または２に記載の共用ハンドル。
［５］
前記キー付きロックカラーは、前記第２の端部、またはその近くの位置において前記長尺ハンドルに固定されている、項目４に記載の共用ハンドル。
［６］
前記ロックキャップは、前記キー付きロックカラーの一部を少なくとも部分的に囲む、項目１、２、または４に記載の共用ハンドル。
［７］
前記ロックキャップは、前記キー付きロックカラーの周囲で他方に取り付けられる第１の部分及び第２の部分を備える、項目６に記載の共用ハンドル。
［８］
前記キー付きロックカラーは、１つ以上の溝を備え、前記ロックキャップは、前記ロックキャップが前記キー付きロックカラーに対して回転することを可能にする、前記溝と整列された突起を備える、項目６または７に記載の共用ハンドル。
［９］
前記長尺ハンドルは、オーバーモールドされる、項目１〜８のいずれか１項に記載の共用ハンドル。
［１０］
ハンドルと共に使用するツールであって、
前記ツールは：
本体を備えるヘッド部材であって、前記ヘッド部材を前記ハンドルに接続する第１の接続点及び第２の接続点を含み、
ツールヘッド挿入具またはツールヘッド取付具を受容可能な内側区分をさらに備える、ヘッド部材と；
複数の係合部材のうちの１つを前記ヘッド部材に選択的に取り付けるために前記ヘッド部材に作動自在に接続された、係合部材取付具と、を備えるツール。
［１１］
前記第１の接続点は、床手入れ係合部材取付具、またはその近くに配置され、前記第２の接続点は、前記ヘッド部材の先端から延びる、項目１０に記載のツール。
［１２］
前記第１の接続点は、雌ネジを備え、前記第２の接続点は、雄ネジを備える、項目１０または１１に記載のツール。
［１３］
前記ヘッド部材の前記内側区分は、実質的に中空である、項目１０、１１、または１２に記載のツール。
［１４］
前記内側区分において、追加の部材を前記ツールに作動自在に接続する締付部材をさらに備える、項目１０、１１、１２、または１３に記載のツール。
［１５］
前記第２の接続点は、前記ツールに対する前記ハンドルの整列を補助するために前記ハンドルの類似部分と係合する非均一孔を備える、項目１０、１１、１２、１３、または１４に記載のツール。
［１６］
清掃に使用するツールアセンブリであって、
前記アセンブリは：
第１の端部及び第２の端部を有する長尺ハンドル、ならびに前記ハンドルの前記第２の端部またはその近くに配置されたロックシステムを備える共用ハンドルであって、前記ロックシステムは、ツールの少なくとも第１の部分と係合するキー付きロックカラー、及び前記ツールの第２の部分と係合するために前記ハンドル上に回転自在に配置されたロックキャップを備える、共用ハンドルと；
前記共用ハンドルに作動自在に取り付けられた前記ツールと、を備え、前記ツールが、本体を備えるヘッド部材であって、前記ヘッド部材を前記共用ハンドルに接続する第１の接続点及び第２の接続点を含む、ヘッド部材と、複数の係合部材のうちの１つを前記ヘッド部材に選択的に取り付けるために前記ヘッド部材に作動自在に接続された少なくとも１つの係合部材取付具と、を備える、アセンブリ。
［１７］
前記共用ハンドルの少なくとも一部は、前記ツールの前記第２の接続点を通って配置され、前記ツールの前記第１の接続点に作動自在に配置されている、項目１６に記載のアセンブリ。
［１８］
前記ツール本体の実質的な中空部分に配置されたツール挿入具をさらに備える、項目１６に記載のアセンブリ。
［１９］
前記ツール挿入具は、
ａ．容器、
ｂ．加重部材、
ｃ．照明、または
ｄ．バッテリーを備える、項目１８に記載のアセンブリ。
［２０］
デッキブラシ形状において前記ツール本体に作動自在に取り付けられた毛材をさらに備える、項目１９に記載のアセンブリ。
［２１］
ハンドルに接続してツールアセンブリを形成するツールであって、
前記ツールは：
下部区分、及び高い位置で合流する、上方向に延びる側壁を有する本体を備えるツールヘッドであって、
前記ハンドルの一部を受容するために直立後部壁と共に前記下部区分に配置された第１の接続点、及び前記ツールヘッドを前記ハンドルに脱着自在に取り付けるために前記高い位置にある第２の接続点を含み、
かつツール挿入具を受容可能な内部の実質的な中空部分を有する、ツールヘッドと；
前記ツールヘッドの前記下部区分の一部から外側に延びる、毛材と、を備える、ツール。
［２２］
前記ツールヘッドの前記実質的な中空部分内に配置されたツールヘッド挿入具をさらに備える、項目２１に記載のツール。
［２３］
前記ツールヘッド挿入具は、
ｅ．容器、
ｆ．加重部材、
ｇ．照明、または
ｈ．バッテリーを備える、項目２２に記載のツール。
［２４］
前記毛材は、デッキブラシを構成する、項目２１に記載のツール。
［２５］
前記デッキブラシは、前記毛材の中央またはその近くにおいてより高い剛性を備える毛材の区分を備える、項目２４に記載のツール。
［２６］
ハンドルに接続してツールアセンブリを形成するツールであって、
前記ツールは：
下部区分、及び高い位置で合流する、上方向に延びる側壁を有する本体を備えるツールヘッドであって、
前記ハンドルの一部を受容するために前記下部区分から略上方向に延びる配置にある第１の接続点、及び前記ツールヘッドを前記ハンドルに脱着自在に取り付けるための前記高い位置にある第２の接続点を含む、ツールヘッドと；
前記ツールヘッドの前記下部区分の一部から外側に延びる、毛材と、を備える、ツール。
［２７］
前記毛材は、傾斜ブラシ形式の毛材アセンブリを構成する、項目２６に記載のツール。
［２８］
ハンドルに接続してツールアセンブリを形成するツールであって、
前記ツールは：
下部区分、及び高い位置において合流する、上方向に延びる側壁を有する本体を備えるツールヘッドであって、
前記ハンドルの一部を受容するために直立後部壁と共に前記下部区分に配置された第１の接続点、及び前記ツールヘッドを前記ハンドルに脱着自在に取り付けるために前記高い位置にある第２の接続点を含むツールヘッドと；
前記下部区分にあり、前記ツールから延びる毛材を含む、毛材アセンブリと；
前記第１の接続点に配置され、前記毛材アセンブリを前記ツールヘッドに固定するために前記ツールヘッドの前記後部壁に作動自在に接続された、固定部材と、を備える、ツール。
［２９］
前記毛材アセンブリは、スキージアセンブリを備える、項目２８に記載のツール。
［３０］
前記スキージアセンブリは、スキージ、及び前記スキージ上のオーバーモールドされた筐体を備える、項目２９に記載のツール。
［３１］
前記固定部材は、
ａ．前記ツールヘッドにヒンジ式に接続された締付具、
ｂ．スナップ、
ｃ．前記ツールヘッドに接続する１つ以上のロックピン、
ｄ．前記毛材アセンブリを前記ツールヘッドに接続するネジ、または
ｅ．上のいくつかの組み合わせを含む、項目３０に記載のツール。
［３２］
前記スキージは、ゴム材料を含む、項目３０に記載のツール。
［３３］
前記スキージは、吸収材料を含む、項目３２に記載のツール。
［３４］
前記スキージは、前記ツールヘッドに対し１０５〜１６５度の角度を有している、項目３３に記載のツール。
［３５］
前記スキージは、前記ツールヘッドに対し１２０〜１５０度の角度を有している、項目３４に記載のツール。
［３６］
前記毛材アセンブリは、モップを構成する、項目２８に記載のツール。
［３７］
前記ツールヘッドに作動自在に接続され、前記ツールヘッドから延びる箒アセンブリをさらに備える、項目３６に記載のツール。
［３８］
前記箒アセンブリは、前記アセンブリから延びる箒毛材を備える、項目３７に記載のツール。
［３９］
前記箒アセンブリは、前記ツールヘッドの前記第１の接続点を少なくとも部分的に囲む接続部分を含む、項目３８に記載のツール。
［４０］
ハンドルに接続してツールアセンブリを形成するツールであって、
前記ツールは：
下部区分、及び高い位置で合流する、上方向に延びる側壁を有する本体を備えるツールヘッドであって、
前記下部区分が、前記上方向に延びる側壁の外側に延びる略矩形形状を含み、
前記ハンドルの一部を受容するために前記下部区分から略上方向に延びる配置にある第１の接続点、及び前記ツールヘッドを前記ハンドルに脱着可能に取り付けるために前記高い位置にある第２の接続点を含む、ツールヘッドと；
前記ツールヘッドの前記下部区分の一部から外側に延びる、毛材と、を備える、ツール。
［４１］
前記下部区分は、実質的に平坦な裏側区分を備える、項目４０に記載のツール。
［４２］
前記毛材は、前記ツールヘッドの前記実質的に平坦な裏側区分から延びる一式の押し箒毛材を含む、項目４１に記載のツール。
［４３］
実質的に図示、及び説明された通りのデッキブラシ。
［４４］
実質的に図示、及び説明された通りの押し箒。
［４５］
実質的に図示、及び説明された通りのスキージ。
［４６］
実質的に図示、及び説明された通りのモップ。
［４７］
実質的に図示、及び説明された通りの傾斜ブラシ。
［４８］
実質的に図示、及び説明された通りのツールハンドル。
［４９］
実質的に図示、及び説明された通りのツールアセンブリ。
【図１】
0006499302.tif 000002
【図２】
0006499302.tif 000003
【図３】
0006499302.tif 000004
【図４】
0006499302.tif 000005
【図５】
0006499302.tif 000006
【図６】
0006499302.tif 000007
【図７】
0006499302.tif 000008
【図８】
0006499302.tif 000009
【図９】
0006499302.tif 000010
【図１０】
0006499302.tif 000011
【図１１】
0006499302.tif 000012
【図１２】
0006499302.tif 000013
【図１３】
0006499302.tif 000014
【図１４】
0006499302.tif 000015
【図１５】
0006499302.tif 000016
【図１６】
0006499302.tif 000017
【図１７】
0006499302.tif 000018
【図１８】
0006499302.tif 000019
【図１９】
0006499302.tif 000020
【図２０】
0006499302.tif 000021
【図２１】
0006499302.tif 000022
【図２２】
0006499302.tif 000023
【図２３】
0006499302.tif 000024
【図２４】
0006499302.tif 000025
【図２５】
0006499302.tif 000026
【図２６】
0006499302.tif 000027
【図２７】
0006499302.tif 000028
【図２８】
0006499302.tif 000029
【図２９】
0006499302.tif 000030
【図３０】
0006499302.tif 000031
【図３１】
0006499302.tif 000032
【図３２】
0006499302.tif 000033
【図３３】
0006499302.tif 000034
【図３４】
0006499302.tif 000035
【図３５】
0006499302.tif 000036
【図３６】
0006499302.tif 000037
【図３７Ａ−３７Ｂ】
0006499302.tif 000038
【図３８】
0006499302.tif 000039
【図３９】
0006499302.tif 000040
【図４０】
0006499302.tif 000041
【図４１】
0006499302.tif 000042
【図４２】
0006499302.tif 000043
【図４３】
0006499302.tif 000044
【図４４】
0006499302.tif 000045
【図４５】
0006499302.tif 000046
【図４６】
0006499302.tif 000047
【図４７】
0006499302.tif 000048
【図４８】
0006499302.tif 000049
【図４９】
0006499302.tif 000050